(57)【要約】      （修正有）【課題】洗濯機載置のための台座部の高さを目立たせなくし、排水トラップや配管の漏水の点検や設備良否の検査、点検時に重量の重たい洗濯機を移動せずに排水トラップのメンテナンスの簡易化を図る。【解決手段】洗濯機を載置できる洗濯機用防水パン１が、床面ａに固定され、該防水パン１に装着した排水トラップ本体２に洗濯機排水ホースｃをホースジョイント３を介して接続し、かつ床面ａ下に配設される排水管ｄに連結されて、トラップ機能をはたす排水トラップ形成体を備えた洗濯機用防水パン１としたものであって、この防水パン１の上に載置した洗濯機Ａ下で排水トラップ本体２内のトラップ形成体を上方に引き抜き横倒し状態にできる隙間５を形成する高さを有する台座部４を側壁のある防水パンの四隅に立設すると共に、該台座部４間の側壁に排水トラップ本体２内のトラップ形成体を横倒し状態で防水パン１に出入れできる円弧状の開口窪み６を設けた。【選択図】  図１
2008088630.tif 000002
【特許請求の範囲】
【請求項１】
床面の排水口に嵌合されて床面に固定され、洗濯機脚部を載置する台座部のある防水パンと、洗濯機排水ホースを接続するホースジョイントを介して床面下に配設される排水管に連結されてトラップ機能をはたすトラップ形成体のある排水トラップ本体とを備えた洗濯機用防水パンにおいて、防水パン上に載置した洗濯機下でトラップ形成体を上方に引き抜き横倒し状態にできる隙間を形成する高さを有する台座部を側壁のある防水パンの四隅に立設すると共に、該台座部間にトラップ形成体を横倒し状態で防水パンに出入れできる円弧状の開口窪みを設けたことを特徴とする洗濯機用防水パン。
【請求項２】
請求項１記載の洗濯機用防水パンにおいて、洗濯機を載置する防水パンの底板部より高く立設した前記台座部上面のコーナーに洗濯機脱落防止用の縁取部を突設し、さらに滑り止めのための格子状の凸条を台座部上面に備えたことを特徴とする洗濯機用防水パン。
【請求項３】
請求項１または２記載の洗濯機用防水パンにおいて、前記台座部が、開口窪みを設けた内側面を大きなＲを持った湾曲面のコーナーに形成したことを特徴とする洗濯機用防水パン。
【請求項４】
請求項１，２または３記載の洗濯機用防水パンにおいて、前記台座部の側面に凹溝からなる嵌合用スリットを形成し、該スリットに台座部間の開口窪みを覆うダストカバーを着脱自在に配備したことを特徴とする洗濯機用防水パン。
【請求項５】
請求項４記載の洗濯機用防水パンにおいて、前記ダストカバーが、平板状の合成樹脂製部材からなり、ベンドを与えて両端を近づけて湾曲して前記嵌合用スリットに差し込み配備されることを特徴とする洗濯機用防水パン。
【請求項６】
請求項４または５記載の洗濯機用防水パンにおいて、前記排水トラップ本体に目皿受を介して排水孔のある目皿を備え、該目皿に洗濯機ホースを接続するホースジョイントを設け、前記洗濯機排水ホースを結束バンドによってバンド掛け止めできるホース固定係止部を備えたことを特徴とする洗濯機用防水パン。  
【請求項７】
請求項４，５または６記載の洗濯機用防水パンにおいて、前記排水トラップ本体が、トラップ機能を果たす封水カップと、該封水カップに流水用の間隔をあけて嵌挿され下端開口部で連通する封水筒と、さらに該封水筒に流水用の間隔をあけて嵌挿され、前記封水カップに載置される案内筒とからなるトラップ形成体を挿脱自在に備えられ、該トラップ形成体に、洗濯機排水ホースが接続される排水ホース取付用のホースジョイントのある目皿を介して目皿受を配備したことを特徴とする洗濯機用防水パン。
【発明の詳細な説明】
【技術分野】
【０００１】
本発明は、住宅内の洗い場或いはバスルームやマンションの台所、洗面所、ベランダにおいて用いられる流し場或いは流し台やユニットバスなどの床面の排水口に取り付けられる防水パン、特に洗濯機などの排水ホースを接続連結する排水用の洗濯機用防水パンに関するものである。
【背景技術】
【０００２】
従来の洗濯機用防水パンは、床面の排水口に取り付けられる排水トラップが設けられ、ホースジョイントを介して洗濯機の排水ホースと接続され、排水ホースから流出する廃水（汚水）を床下に配設した排水管に案内するために用いられており、廃水は、ホースジョイントから排水トラップ内に流れ込み、排水管側へ送られ封水カップと封水筒との封水構造によってトラップを形成して、通常の排水管に洗濯機の排水を流す場合でも防水と臭気の逆流を防止することができるようになっている。
【０００３】
特許文献１の洗濯機防水パンでは、洗濯機が充分に設置可能な面積の平面略長方形をなし、周囲に水止め用の突縁が形成され、防水パンの底面に直接或いは底面の四隅設けた洗濯機載置面に洗濯機を乗せ、洗濯機からこぼれた水や排水を流しだ出すための多数の小孔が穿たれ、かつ上部に洗濯機の排水ホース用差し込みを有してなる排水トラップが設けられていることが記載されている。
【特許文献１】特許公報・特許出願公告昭５９ー４８１１９号公報
【特許文献２】公開実用新案公報・実開昭５４−１０１０７８号公報
【発明の開示】
【発明が解決しようとする課題】
【０００４】
従来の洗濯機用防水パンでは洗濯機を載置したときの状態では、防水パンに取り付けられた排水トラップは洗濯機が邪魔となって掃除が困難であったり、洗濯機用防水パン周囲の縁の高いものは、洗濯機用防水パン自体の掃除がやりにくいし、防水パンの底面の廃水勾配は排水トラップ付近に向けて設けられていても排水トラップ付近に溜まったゴミ類は手が届きにくい所にあって掃除がしにくいほか、排水トラップ付近に糸くずやゴミが詰まって防水パンに水が溜まってオーバーフローしやすい。特に最近のようにドラム式洗濯機の普及で洗濯機の重量が重く（約８０ｋｇ）、大さも大きくなって一人では洗濯機を動かせなくて排水トラップのメンテナンスが出来ないし、掃除が厄介となって問題があり、また、住宅の洗濯機設置スペースの縮小化に伴って設置スペースも６４０×６４０ｍｍの最小スペースの防水パンが普及していて洗濯機との関係でその取扱が厄介となってきていて、しかも排水管洗浄時に排水トラップの封水管や封水筒等の部品がとれずにメンテナンスが出来ない状況が多くあって、排水トラップ設備や配管の漏水の点検や設備良否の検査、点検が必要になっても、排水トラップ本体の内部や配管の良否が点検できない不便があり、施工作業や住宅の維持管理上に不安があって問題があった。
また、従来では防水パンは、洗濯機より面積の大きいトレイ状の形態を用いているため、防水パン内にほこりやごみが入りやすく、これらごみのほかに泥水の汚れも堆積したりして見ためがすっきりしないで不体裁であったりするほか、洗濯機排水時に水圧で洗濯機排水ホースが躍ったり、外れたりする虞れがあって、フロアーでの使用に問題があり、また洗濯機が充分に設置可能な面積の略長方形をなしている防水パンでは、場所をとり点検の際にも、洗濯機の真下にあって洗濯機を取り除かなければ排水トラップが取り外せないために取り扱い不便であるばかりか、単なるトレー状形態ではリビング用途としては不体裁な形態であり、さらに、排水トラップ本体内に封水筒を装入する形態では、トラップ形成機構が挟隘部分に納められるために排水流路が十分確保できず、洗濯機から排出される水は洗濯槽に多量の水が溜まっている場合には、かなりの水圧を伴って排水されるので、溢流・漏水現象が多発したりして不衛生となり、その上、臭気の放出予防に満足できないこともあり、そのほかに洗濯の際に生ずる糸くずその他のごみ類によって掃除をも頻繁にしなくてはならないために取扱いの簡便化をも要請される結果となっている。
【０００５】
本発明は、これら従来の不便さを排除しようとするもので、洗い場などの床面での場所を取らずコンパクトで見た目もすっきりとした体裁良好な最小スペースの洗濯機用防水パンとし、床面内での設置も簡便に行うことができ、しかも点検時に洗濯機を移動したり取り除いたりすることなく排水トラップのメンテナンスを楽に行え取り扱いの簡易化を図ることにある。
【０００６】
さらに本発明では、防水パン内にほこりやごみが入らずに防臭効果も上げられると共に、洗濯機排水ホースが躍ったり、外れたりする虞れもなく安全に用いられ、また排水トラップ設備や配管の漏水の点検や設備良否の検査、点検が必要になっても、防水パンより洗濯機を動かさずに排水トラップを外すことで点検でき、施工作業や住宅の維持管理も容易であり、漏水予防のほかＳＡＲＳなどの感染予防にも寄与し環境衛生の向上に役立ち安全性を大幅に高められるし、洗濯機の排水の際に排水量が増加しても排水が外部に溢れることなく水密状態を保って確実に排出できると共に、下流側からの臭気の逆流も確実に止めることができるほか、施行工事が容易で、しかも排水管内の高流速の維持で排水口のごみ詰り現象がなく安全に用いられるコンパクトで低コストの洗濯機用防水パンを提供することを目的としている。
【課題を解決するための手段】
【０００７】
本発明は、床面の排水口に嵌合されて床面に固定され、洗濯機脚部を載置する台座部のある防水パンと、洗濯機排水ホースを接続するホースジョイントを介して床面下に配設される排水管に連結されてトラップ機能をはたすトラップ形成体のある排水トラップ本体とを備えた洗濯機用防水パンであって、防水パン上に載置した洗濯機下でトラップ形成体を上方に引き抜き横倒し状態にできる隙間を形成する高さを有する台座部を側壁のある防水パンの四隅に立設すると共に、該台座部間の周壁にトラップ形成体を横倒し状態で防水パンに出入れできる円弧状の開口窪みを設けたことにより、洗い場などの床面での場所を取らずコンパクトで体裁良好な防水パンとして、床面での設置も簡便に行うことができ、しかも点検時に防水パンより洗濯機を動かしたり或いは取り除いたりすることなく排水トラップのメンテナンスを確実に行え、その取り扱いの簡易化を図るのに便利な構成としたものである。
【０００８】
また、本発明では、洗濯機を載置する防水パンの底板部より高く立設した前記台座部上面のコーナーに洗濯機脱落防止用の縁取部を突設し、さらに滑り止めのための格子状の凸条を台座部上面に備えたたことにより、台座部上から洗濯機の脚部が外れないで安全に載置され、洗濯機の振動などで台座部からずり落ちたりすることなく、ドラム式洗濯機の普及で洗濯機の大型化と重量の大きさによっても十分対応でき洗濯機の安定した定置が可能である構成となっている。
【０００９】
本発明では、防水パンの台座部が開口窪みを設けた内側面を大きなＲを持った湾曲面のコーナーに形成したことで、台座部の高さを目立たせなくさせ、台座部の上面と防水パン側壁上面との落差をダイレクに感じさせないように体裁になっているし、しかも洗濯機ホースの導出も台座部の湾曲面のコーナーに沿って行なわれ折れ曲がりかなくスムーズになってホースつぶれもなく、排水作業が良好に行えるし、外観見栄えもよく体裁も好ましいものにしてある。
【００１０】
さらに、本発明は台座部間の側壁に排水トラップ本体内のトラップ形成体を引き抜き横倒し状態で防水パンに出入れできる開口窪みを設け、前記台座部の側面に凹溝からなる嵌合用スリットを形成し、該スリットに台座部間の開口窪みを覆うカバーを着脱自在に配備したことにより、開口窪みからゴミ、埃が入らないようにでき、さらに台座部の高さと防水パン側縁との落差が大きいと違和感を感じるのを落差を少なくして防水パンの外観形状を良好にしてある。
【００１１】
また、この洗濯機用防水パンにおいて、前記開口窪みを覆うカバーとしては、平板状の合成樹脂製部材を用い、その弾性を利用してベンドを与えて撓ませて両端を近づけて湾曲し、両端を前記台座部に対向配備した嵌合用スリットに着脱自在に差し込んでカバーの定着性を確実にしてあり、カバーがみだりに外れて悪影響を及ばさない形態で用いられる。
【００１２】
さらに、本発明の洗濯機防水パンでは、排水トラップ本体内のトラップ形成体は円筒状に近いので、トラップ形成体を防水パンより取り出すには、台座部間に形成された開口窪みの開口寸法が取り出せる寸法を確保できていればよく、また洗濯機下の隙間も洗濯機の脚部高さを加味してトラップ形成体の高さより大きい寸法を有するものとして台座部の高さを選定するのがよく、しかも防水パンの外側壁に円弧状の緩いカーブをつけた湾曲形状に形成して台座部の高さを目立たなくし、台座部の高さの落差をダイレクトに感じさせないように工夫して外観見栄えも良好で体裁も好ましいものにしてある。
【００１３】
本発明の洗濯機用防水パンでは、前記排水トラップ本体に目皿受を介して排水孔のある目皿を着脱自在に備え、該目皿に洗濯機ホースを接続するホースジョイントを設け、該ホースジョイントに洗濯機排水ホースを結束バンドによってバンド掛け止めできるホース固定係止部を備えたことで、排水トラップ本体に洗濯機排水ホースが定着できて洗濯機排水ホースが躍ったり、外れたりする虞れもなく安全に用いられ、洗い場などの床面での場所を取らずコンパクトで体裁良好な防水パンとするのが好ましい。
また、ホースジョイントと洗濯機排水ホースとの接続部から漏水があっても、その滴り水を目皿によって受けて流し排水孔を経て排水トラップ本体に確実に導入して防水パン周囲に垂れ流すこともなく確実に処理できるようにしてある。
【００１４】
前記排水トラップ本体としては、前記防水パンの取付口に装着され、トラップ機能を果たす封水カップと、該封水カップに流水用の間隔をあけて嵌挿され下端開口部で連通する封水筒と、さらに該封水筒に流水用の間隔をあけて嵌挿され、前記封水カップに載置される案内筒とからなるトラップ形成体を目皿受を介して挿脱自在に備えられるが、該トラップ形成体の案内筒に嵌合接続され、かつ洗濯機排水ホースと接続するホースジョイントのある目皿を目皿受に着脱自在にねじ込み或いは嵌合配備すると共に、該目皿受を前記排水トラップ本体に、着脱自在にねじ込み或いは嵌合配備するようにして、トラップ形成体を洗濯機用防水パンとの脱着が簡便にでき、その結合も確実となるようにするのがよく、排水トラップを安全に用いられるようにし、施工作業や住宅の維持管理が容易になるようにするのがよい。
【発明の効果】
【００１５】
本発明は、洗い場などの床面での場所を取らず設置スペースも最小スペースのコンパクトで見た目もすっきりとした体裁良好な防水パンとすることができ、床面内での設置も簡便に行うことができ、しかも点検時に重量の重たい洗濯機を移動したり取り除いたりすることなく、排水トラップのメンテナンスを確実に行え取り扱いの簡易化を図ることができる。
【００１６】
また、本発明では、防水パンの防水パン上に載置した洗濯機下で排水トラップ本体内のトラップ形成体を上方に引き抜き横倒し状態にできる隙間を形成する高さを有する台座部を側壁のある防水パンの四隅に立設すると共に、該台座部間にトラップ形成体を横倒し状態で防水パンに出入れできる開口窪みを側壁に設けたことにより、防水パン底面の清掃が簡単にでき常時清潔状態を維持でき施工作業や住宅の維持管理も容易であり、漏水予防のほかＳＡＲＳなどの感染予防にも寄与して環境衛生の向上に役立ち安全性を大幅に高められる。
【００１７】
さらに本発明では、防水パンの台座部が開口窪みを設けた内側面を大きなＲを持った湾曲面のコーナーに形成したことで、台座部の高さを目立たせなくし、台座部の上面と防水パン側壁上面との落差をダイレクに感じさせないように体裁になっているし、しかも洗濯機ホースの導出も台座部の湾曲面のコーナーに沿って行なわれ折れ曲がりかなくスムーズになってホースつぶれもなく、排水作業が良好に行えるし、外観見栄えもよくリビング等の室内環境にマッチした状態で用いられる。
【００１８】
さらにまた本発明によれば、排水トラップ本体に目皿受を介して排水孔のある目皿を備え、該目皿に洗濯機ホースを接続するホースジョイントを設け、該ホースジョイントに洗濯機排水ホースを結束バンドによってバンド掛け止めできるホース固定係止部を備えたことで、排水トラップ本体に洗濯機排水ホースが定着できて洗濯機排水ホースが躍ったり、外れたりする虞れもなく安全に用いられ、しかも洗濯機ホースの曲がりがスムーズで潰れないで用いられ、洗濯機の排水の際に排水量が増加しても、排水が外部に溢れることなく水密状態を保って確実に排出できると共に、下流側からの臭気の逆流も確実に止めることができるほか、施行工事が容易で、しかも排水管内の高流速の維持で排水口のごみ詰り現象がなく安全に用いられる効果がある。
【００１９】
本発明の洗濯機用防水パンでは、排水トラップ本体内のトラップ形成体を防水パンに出入れできる開口窪みにダストカバーを着脱自在に備えてあるので、台座部の高さを目立たせなくさせて外観見栄えもよく室内環境にマッチでき、防水パン内にほこりやごみが入らずに防臭効果も上げられると共に、さらに前記洗濯機排水ホースが接続されるホースジョイントを挿入する開孔と、ホースジョイントを嵌入する案内筒を形成して、該案内筒にホースジョイントを含む洗濯機排水ホースを挿入保持できるので、洗濯機排水ホースが躍ったり、外れたりする虞れもなく安全に用いられ、漏水事故になるともなく衛生的に使用でき、さらに排水トラップ設備や配管の漏水の点検や設備良否の検査、点検が必要になっても、排水トラップ本体を外すことで点検でき取扱を容易にすることができ、施工作業や住宅の維持管理が簡便化することができる。
【００２０】
また本発明は、ホースジョイントと洗濯機排水ホースとの接続部から漏水があっても、その滴り水を目皿によって受けて流しホースジョイントを差し込んだ目皿を経て排水トラップ本体に確実に導入して防水パン外周囲に垂れ流すこともなく処理でき、さらに開口窪みにダストカバーを備えれば防水パン内にほこりやごみが入らずに防臭効果も上げられると共に、洗濯機排水ホースの躍り上がりや、外れをなくして漏水予防のほかＳＡＲＳなどの感染予防にも寄与し環境衛生の向上に役立ち安全性を大幅に高められる効果がある。
【００２１】
本発明の洗濯機用防水パンでは、洗濯機排水ホースと洗濯機用防水パンとの脱着が簡便にでき、その結合も確実となるので、排水トラップ設備や配管の漏水の点検や設備良否の検査、点検が必要になっても、カバーおよびトラップ形成体を外すことで点検でき、施工作業や住宅の維持管理が容易で低コストの洗濯機用防水パンとすることができるし、排水トラップ本体での排水流路が十分確保でき漏水することなく、排水管路内での高流速の維持が確実にできてごみ詰り現象がなく安全に用いられ、しかも前記封水カップ、封水筒や案内筒のトラップ形成体が着脱自在なので、排水口から封水筒、封水カップ、案内筒のトラップ形成体を取り外して清掃することが楽にでき、排水トラップ本体を安全に用いられるほか、防水パンに固定されたトラップ機能を果たす封水カップと、該封水カップに流水用の間隔をあけて嵌挿され下端開口部で連通する封水筒と、さらに該封水筒に流水用の間隔をあけて嵌挿され、前記封水カップに載置される案内筒とからなるトラップ形成体を挿脱自在に備えられ、該トラップ形成体の案内筒に接続され、かつ洗濯機排水ホースが接続されるホースジョイントのある目皿を目皿受を介して着脱自在にねじ込み或いは嵌合配備したことで、施工作業や住宅の維持管理の簡便化を図ることができる。
【発明を実施するための最良の形態】
【００２２】
以下、本発明の実施の形態を図面を参照して説明する。
この実施の形態における洗濯機用防水パンでは、図１乃至図５に示すように、側壁のある防水パン１の排水口に排水トラップ本体２が装着され床面上に載置固定されて用いられる。
図示の例では、洗濯機を載置できる洗濯機用防水パン１が、床面ａに固定され、該防水パン１に装着した排水トラップ本体２に洗濯機排水ホースｃをホースジョイント３を介して接続し、かつ床面ａ下に配設される排水管ｄに連結されて、トラップ機能をはたす排水トラップ構成を持った洗濯機用防水パン１としてある。（図１および図２）
そして、この防水パン１の上に載置した洗濯機Ａ下で排水トラップ本体２内のトラップ形成体を上方に引き抜き横倒し状態にできる隙間５を形成する高さを有する台座部４を側壁のある防水パンの四隅に立設すると共に、各台座部４間の側壁に排水トラップ本体２内のトラップ形成体を横倒し状態で防水パン１に出入れできる寸法の円弧状の開口窪み６を設けてある。（図３）
この開口窪み６の寸法は、排水トラップ本体２およびトラップ形成体が円筒状に近いので、トラップ形成体を防水パン１より取り出すには、排水トラップ本体２からトラップ形成体を含む目皿受け１０の直径より大きい寸法を確保してあればよく、また、前記台座部４および隙間５の寸法も、洗濯機の脚部高さを加味して排水トラップ本体２或いはトラップ形成体の高さを防水パン上に逃がせる寸法の高さを有するものにするのがよく、さらに防水パン１の外側壁に円弧状の緩いカーブをつけた湾曲形状に形成して台座部４の高さを目立たなくし、台座部４の高さの落差をダイレクトに感じさせないように工夫して外観見栄えも良好で体裁も好ましいものにしてある。
【００２３】
前記洗濯機用防水パン１において、洗濯機Ａを載置する台座部４としては、防水パン１の底板部より高く立設し、該台座部上面のコーナーに洗濯機脱落防止用の縁取部７を突設し、さらに滑り止めのための格子状の凸条４１を台座部上面に備えがよく、該台座部４が、開口窪み６を設けた内側面を大きなＲを持った湾曲面のコーナーに形成して排水ホースｃの曲がりが潰れないでスムーズに誘導できるようにするのがよい。
【００２４】
また、前記台座部４には、図４に示すように台座部４の側面に凹溝からなる嵌合用スリット８を形成し、該スリット８に台座部４間の開口窪み６を覆うダストカバー９を着脱自在に配備して、ゴミ、塵などの侵入を防ぐと共に、外観見栄えを良好にしてあるが、この場合、前記ダストカバー９は、平板状の合成樹脂製部材からなり、ベンドを与えて両端を近づけて湾曲して前記嵌合用スリット８に差し込み配備して、ダストカバーの定着性を確実にしてあり、カバーがみだりに外れて悪影響を及ばさない形態で用いられるように配慮するのがよいし、前記台座部４の高さを目立たせなくさせ、台座部４の上面と防水パン側壁上面との落差をダイレクに感じさせないように体裁になっている。
なお、前記ダストカバー９としては、プラスチック板に限らずステンレスやビニールコーティング鋼板等の金属製覆体その他目視可能の透明素材で防水パン１の内部を透視できる素材または、防水パン１の素材に適合できる素材からなり、内外周面に形設した凹凸係止部によって台座部４の係合部に着脱自在に嵌合固着或いは他の固定手段によって取付け、排水トラップ設備や配管の漏水の点検や設備良否の検査、点検が必要になった際に、前記カバー９およびトラップ本体２内に構成されるトラップ形成体を外したり組み立てたりすることができるようになっている。
【００２５】
この洗濯機用防水パンにおいては、図５に示すように前記防水パン１に装着する前記排水トラップ本体２に目皿受１０を介して排水孔のある目皿１１を備え、該目皿１１にホースジョイント３を設けて洗濯機ホースｃを接続するが、該ホースジョイント３には前記洗濯機排水ホースｃを結束バンド１２例えば、ナイロンバンド等の結束バンド１２によってバンド掛け止めできるホース固定係止部３１を備えていて、洗濯機排水ホースｃが躍ったり、外れたりする虞れがないように定着できるようにしてある。
そして、前記排水トラップ本体２には、トラップ機能を果たす封水カップ１３と、該封水カップ１３に流水用の間隔をあけて嵌挿され下端開口部で連通する封水筒１４と、さらに該封水筒１４に流水用の間隔をあけて嵌挿され、前記封水カップ１３に載置される案内筒１５とからなるトラップ形成体が挿脱自在に備えられ、該トラップ形成体に、洗濯機排水ホースが接続される排水ホース取付用のホースジョイント３のある目皿１１を介して目皿受１０を着脱自在にねじ込み或いは嵌合配備してある。
【００２６】
前記防水パン１には、床面ａ上に固着するため縁部の適宜の複数カ所に床面取付孔（図示せず）を設け、底面中央一側部に片寄せた位置に前記排水トラップ本体２の嵌合取付口１６を形成した略正方形、長方形或いは円形の形態に形成し、縁取り装飾と外傷を防ぐ安全性を兼ね備えた見栄えのよいものに構成するのがよいし、リビングに適合したデザインにして洗濯機の設置箇所の変化に対応するようにするのがよく、さらに、前記ダストカバー９も装飾用の化粧カバーとしてリビングに適合した体裁良好な形態にするよう配慮するのもよい。
【００２７】
そして前記排水トラップ本体２に排水管ｄを連結できる横引き接続部１７或いは縦引き接続部を一体形成し、該排水トラップ本体２をパッキンのシール部材１８を介して前記防水パン１の嵌合取付口１６に嵌着固定する。この排水トラップ本体２或いはトラップ形成体の封水カップ１３、封水筒１４、案内筒１５などは目視可能の無色透明ないし黄色、赤色、青色等の顔料によって着色した有色透明或いは半透明の合成樹脂例えば、ＡＢＳ樹脂、ＰＰ樹脂などによって内部を透視できる構成とすることもできる。  
【００２８】
前記封水カップ１３としては、前記目皿受１０に挿脱自在に嵌挿される有底筒体であって、底面に流水用の隙間を形成できる翼片１９を所定間隔をあけて立設し、かつ筒体上部周側面にオーバーフロー孔となる流水スリット２０を周方向に間隔をおいて複数設けてある。
また、この封水カップ１３内に流水用の間隔をあけて嵌挿される前記封水筒１４も、前記封水カップ１３に嵌挿されるテーパー筒部を有し、かつ前記目皿受１０に嵌合されるフランジを有する中空筒体であって、該中空筒体の下端開口部内に前記案内筒１５の外周に突設した消泡用リブが挿入配備される形態としてある。（図５ａ）
【００２９】
さらに前記案内筒１５は、両端開口で前記ホースジョイント３に接続される側の内周面にホースジョイント係止部の段差部を形成した中空体であって、該中空体の下端開口の筒体下端外周に外環板１５１を突設し、該外環板１５１に所定間隔をあけて筒体外周に消泡用リブの翼片１９を設けると共に、前記封水カップ１３の内底面に立設される翼片上に載置されて前記封水筒１４との間に流水用の隙間をあけて配備するのもよい。
【００３０】
前記排水トラップ本体２と前記目皿受１０との間に、また前記封水カップ１３と、封水筒１４のフランジとの間に、リング状のスリップパッキンおよび平パッキンのシール部材１８を介在配備して、目皿受１０を排水トラップ本体２に、さらに目皿１１を目皿受１０に嵌着することによって、封水密着配備して排水トラップを漏水防止形態とすることができる。（図５ｂ）                                                                  
【００３１】
前記排水トラップ本体２は、各部材が耐衝撃性、耐腐性、および耐熱性などに優れたＡＢＳ樹脂などで成形され、排水口を覆い防水パン１或いは床面に圧接固着されれるが、前記目皿１１は、ネジ部１１１によって固着できる複数の取付孔が周方向に間隔をおいて穿設されている。この目皿１１を嵌合保持する目皿受１０には、外周にネジ部１０１を備え、排水トラップ本体２のネジ部に着脱自在に螺合され圧接保持できるようにしてある。
【００３２】
この場合、前記ホースジョイント３は、エラストマーなどの軟性樹脂からなるエルボを用い、このホースジョイント３を目皿１１或いはパッキンホルダーで、排水トラップ本体２に締め付ける形態とすることもでき、ホースジョイント３に接続される案内筒１５に相対するフランジ部が押し付けられるようにしても、水密に保った状態で強固に接続することができる。
【００３３】
なお、前記封水筒１３は、軽量性、耐熱性に優れたＡＢＳ、ＰＰ樹脂などで、上部をカップ状の円錐筒形に成形され、その内面上部に補強リブを有し、中央部に案内筒１５が備えられ、前記封水カップ１３の内周に嵌装保持されて用いられ、排水の流れに溜まりや衝突をできるだけなくして、より良い排水の流れを形成することができる。
【００３４】
前記排水トラップ本体２においては、トラップ形成体を構成するために封水カップ１３の貯留水中に漬かる筒状の封水筒１４によりトラップ機構を備えるが、前記ホースジョイント３を経て案内筒１５に入った汚水は、該案内筒１５の周方向にほぼ全周にわたって広く開いた開放型の下端開口から封水カップ１３に導入され、さらに下底部に流水用隙間を形成する翼片によって誘導され、さらに封水カップ１３の湾曲側壁に沿って上向流で流過して上部の流出スリット２０からオーバーフローして噴出される。
一方、前記目皿１１から流入する漏れ水は、案内筒１５の外周を伝って下端開口から外周を流れる上向流に巻き込み誘引混合されて、流出スリット２０からオーバーフローして噴出され、排水トラップ本体２の接続部１７に連結された排水管ｄに排出される。
この場合、前記排水トラップ本体２内に封水筒１４で構成される空間周辺を中心に強い乱れを伴なう反転流を形成することとなり、封水筒１４内壁付近の流速は激しく外周方向に誘導されて、洗剤等の管壁への付着を防げる効果をもつほか、管路流の閉塞現象やごみ詰り現象の発生がなく有効に用いられ、また前記案内筒１５に消泡用リブを形成してあるので、貯留水の泡立ちを未然に防ぎ目皿１１より逆流噴出することがなく排水トラップを衛生的に使用できるものである。
【００３５】
なお、前記ホースジョイント３と案内筒１５との固定用の目皿１１或いはパッキンホルダーとしては、中央に案内筒１５の嵌合孔を有する中空板或いは円筒体からなり、旋回操作用のすべり防止の凹凸面を外側に設け、目皿受１０或いは排水トラップ本体２に設けた凸状係合部或いはねじ部を嵌合させるガイド凹溝或いはねじ部を備え、前記排水トラップ本体２に封水カップ１３及び封水筒１４を嵌入したのち、案内筒１５を接続してホースジョイント３の一端開口を連結し、目皿１１或いはパッキンホルダーを装着すれば、前記封水カップ１３および封水筒１４からなるトラップ形成体を排水トラップ本体２内に容易に組み入れセットし、或いは分解取り外しすることができる。
【００３６】
前記排水トラップ本体２を防水パン１に備えるのに、横引き接続部１７のある排水トラップ本体２の例では、トラップ機能をはたす案内筒１５と封水筒１４および排水カップ１３とからなるトラップ形成体を排水トラップ本体２に挿脱自在に備えたものからなり、排水ホース取付用のホースジョイント３のあるごみよけ目皿１５を着脱自在にねじ込み或いは嵌合配備するのがよい。
前記防水パン１の取付口１６は、目皿１１で覆われていてこれを取り外せば、案内筒１５と封水筒１４および排水カップ１３とを取り除くことができ、排水管ｄを高圧洗浄等の整送も容易に行えるし、排水ホースｃのホースジョイント３も目皿１１に回転自在に連結して洗濯機排水ホースｃとの取り扱いを簡易にすることができる。
また、前記排水ホースｃは、必要に応じて蛇腹部を介して、ホース固定バンドの結束パンド１２によってホースジョイント３に嵌挿入状態を維持できるようにしてもよく、さらに前記排水トラップ本体２、排水カップ１３、封水筒１４およひ案内筒１５がＡＢＳ樹脂、ＰＰ樹脂などの合成樹脂で一体成形されているので、さびることがなく、清潔性を大いに維持することができるとほか取扱いがきわめて容易となる。
【００３７】
図１の例でも、洗濯機用防水パン１に排水トラップ本体２を取り付けるには、床面ａに設けられた排水トラップ本体２の排水管ｄの管径を確認し、排水トラップ本体２の排水管接続部１７に排水管ｄを接続固着する。次いで、防水パン１に排水トラップ本体２を固着し、目皿受１０を嵌入配備してトラップ機能をはたす案内筒１５と封水筒１４および排水カップ１３とを排水トラップ本体２に嵌入保持させればよい。
そして、前記案内筒１５にホースジョイント３を挿入接続して目皿受１０にホースジョイント３のある目皿１１を定着し、ホースジョイント３の他端開口のホース受けパイプに洗濯機の排水ホースｃを挿入接続すれば、排水トラップの施工作業を終了することができる。
【００３８】
このような状態で洗濯機の排水ホースｃから汚水が流れてくると、この汚水は、前記ホースジョイント３から案内筒１５、封水筒１４および、排水カップ１３を経たトラップ形成体を経由して流出スリット２０より排水管ｄに流出する。なお、この排水管ｄを経由してくる悪臭は、前記封水筒１４に貯えられた汚水のトラップ作用により、案内筒１５および排水筒体１３からトラップ形成体に流れ込むのを確実に抑制防止される。
【００３９】
この場合、前記目皿受１０防水パン１より外して目皿受１０に嵌合されている目皿１１を外せば、トラップ機能をはたす封水カップ１３と、該封水カップ１３に流水用の間隔をあけて嵌挿され下端開口部で連通する封水筒１４と、さらに該封水筒１４に流水用の間隔をあけて嵌挿され、前記封水カップ１３に載置される案内筒１５とからなるトラップ形成体を前記排水トラップ本体２より取り出すことができて、各部材の取り外しによって内部の清掃や点検も簡便に行うことができので、ＳＡＲＳなどの感染予防にも寄与し環境衛生の向上に役立ち安全性を大幅に高められる。
【００４０】
また、この防水パン１は、洗濯機の設置可能な十分な面積がなくても床面に載置しているため、場所をとらず点検の際には、防水パン１上の目皿１１を取り外して排水トラップ本体２内のトラップ形成体を引き出すことができ、洗濯機を取り除いたり移動したりすることなく点検することが可能で、取り扱い簡便であるばかりか、リビングとしては、体裁良好な形態であり、洗濯機の排水の際に排水量が増加しても排水が外部に溢れることなく水密状態を保って確実に排出できると共に、下流側からの臭気の逆流も確実に止めることができるほか、施行工事が容易で、しかも排水管内の高流速の維持で排水口のごみ詰り現象がなく安全に用いられる。
【００４１】
なお、床面の排水口に嵌合されて床面に固定される前記防水パン１は、洗濯機の排水を外部に洩れることなく受けて排出できるもので、洗濯機排水ホースｃを接続し、かつ床面下に配設される排水管ｄに連結されて、トラップ機能をはたすトラップ形成体を有する排水トラップ本体２を備えた洗濯機用防水パン１であって、前記防水パン１から取り外し可能に備えられているトラップ形成体を排水トラップ本体２に配し、該排水トラップ本体２に、洗濯機排水ホースｃがホースジョイント３を介して連結され、さらにホースジョイント３に洗濯機排水ホースｃを挿入保持したことで、洗い場などの床面での場所を取らずコンパクトで体裁良好な防水パンとして用い、点検時に洗濯機を移動したり取り除いたりすることなく取り扱いの簡易化を図ることができる形態として使用する。
【００４２】
また、実施形態の前記洗濯機用防水パン１は、リビングでの床面ａに限らず、洗濯作業に付帯して使用したり、取り扱ったりするボックス状のキャビネットに設置して用いることができて、住宅内での流し場を汚すことなく見栄えのよい環境作りに寄与する形態で用いられるようになっている。
【００４３】
図６の防水パン１の例では、周側壁を有する前記防水パン１の四隅に洗濯機載置用の台座部４を設けたもので、排水トラップ本体２の取付口１６に近接した側壁のみに排水トラップ本体２内のトラップ形成体を横倒し状態で出入れできる寸法の円弧状の開口窪み６を設けたもので、他の台座部４間の側壁の外側面に湾曲凹面部６１を形成して、台座部４間を覆った形態として、ゴミ、埃が入らないようにでき、さらに台座部４の高さと防水パン側縁との落差が大きいと違和感を感じるのを落差を少なくして防水パンの外観形状を良好にしてある。
【図面の簡単な説明】
【００４４】
【図１】本発明に係る洗濯機用防水パンを示し、（ａ）はその平面図、（ｂ）はその側面図  （ｃ）は縦断面図である。
【図２】図１の例の斜視図である。
【図３】図１の例で用いられる使用状態を示すものであって、（ａ）はその正面図、（ｂ）はその排水トラップの取り出し状態を示す正面図である。
【図４】図１の例でカバーを取り付ける状態を示し、（ａ）はその一部の斜視図、（ｂ）はカバー取り付け完了時の斜視図である。
【図５】図１の例の防水パンに用いられる排水トラップ本体を示し、（ａ）はその縦断面図、（ｂ）はその一部の拡大詳細断面図、（ｃ）は平面図、（ｄ）はその側面図である。
【図６】本発明の洗濯機用防水パンの他の実施例を示し、（ａ）はその斜視図、（ｂ）はその平面図、（ｃ）はその正面図、（ｄ）はその背面・両側面である。
【符号の説明】
【００４５】
Ａ    洗濯機
ａ    床面
ｂ    排水口
ｃ    排水ホース
ｄ    排水管    
１    防水パン  
２    排水トラップ本体
３    ホースジョイント
３１  ホース固定係止部
４    台座部
４１  凸条
５    隙間
６    開口窪み
７    縁取部
８    スリット
９    ダストカバー
１０    目皿受  
１０１  ネジ部
１１    目皿
１１１  ネジ部
１２    結束バンド
１３    封水カップ  
１４    封水筒      
１５    案内筒
１５１  外環板
１６    取付口
１７    接続部
１８    シール部材
１９    翼片
２０    流水スリット
【図１】
2008088630.tif 000003
【図２】
2008088630.tif 000004
【図３】
2008088630.tif 000005
【図４】
2008088630.tif 000006
【図５】
2008088630.tif 000007
【図６】
2008088630.tif 000008